(57)【要約】【課題】従来の夏用の糸技術は、糸の大小の太さを作り出す技術によって、夏用の衣類としていた為、あまりヒンヤリ感は、望めない衣類の糸事情で有った。【解決手段】液体ナイロン糸及び液体テトロン糸に固形窒素を液体状にした物質と混合合成の冷却糸技術で有り、植物繊維笹の茎葉の混合合成糸及び稲の茎葉の混合合成冷却糸技術と、植物繊維断片光沢技術を使用した液体ナイロン及び液体テトロンの合成糸で、植物繊維断片形状の光沢糸技術をデザイン糸と雑草灰入りテトロン糸の合成軽量糸の著作権原本【選択図】図1
2013127145.tif 000002
【特許請求の範囲】
【請求項１】
本先発明の冷却糸は、夏場の暑い時期に涼しく過ごす為の、通常ナイロン糸またはテトロン糸を筒状にした内部に固形窒素または、液体窒素を内蔵した冷却糸。
【請求項２】
本先発明の稲の茎の冷却糸は、稲の茎及び葉を小さく刻んだのを液体ナイロンまたは液体テトロンに混合合成した稲の茎及び葉の形状をナイロン糸及びテトロン糸として、表現した固形窒素等を内蔵の冷却糸。
【請求項３】
本先発明の笹の茎の冷却糸は、笹の茎及び葉を小さく刻んだのを、液体ナイロンまたは液体テトロンに混合合成した笹の茎及び葉の形状をナイロン糸及びテトロン糸として表現した固形窒素等を内蔵の冷却糸。
【請求項４】
本先発明の果物色のナイロン糸及びテトロン糸は、果物の粉末を、液体ナイロン及び液体テトロンと混合合成した果物色で色づけした少しだけの果物の匂いを楽しめる固形窒素内蔵の冷却糸。
【請求項５】
本追加発明の2012年12月27日pm20時6分のどうしても、特許請求しなければ成らない糸技術の中で、世界最軽量糸技術として、知的所有財産の木材灰入りプラスチックパネル等の世界最軽量パネル技術の応用技術に成り、木材灰入りテトロン及びナイロン等の炭素より、軽い素材を、糸溶液物質に入れた世界最軽量とされている炭素繊維より、軽くて燃えない物質を、使った世界最軽量の木材灰及び竹灰及び雑草灰及び生ゴミ灰及び石炭灰を、ナイロン系のテトロン糸などに糸溶液の内に撹拌合成した世界最軽量糸。
【請求項６】
本追加発明の2012年12月27日pm20時32分世界で一番軽い雑草灰入りテトロン糸は、雑草灰物質が炭素物質より同じ容量的に比較すると雑草灰が、一番軽い物質に成り、超軽量糸のテトロン溶液と雑草灰の熱融解撹拌時に、窒素溶液を、入れて混合撹拌した窒素材と雑草灰入りのテトロン溶液糸は、特許請求項1の世界で一番軽い冷却糸に成る。
【請求項７】
本追加発明の2012年12月27日pm20時52分世界で一番軽い雑草灰入りテトロン糸に乾燥剤溶液を、テトロン糸溶液と雑草灰と乾燥剤溶液を、混合撹拌して糸状に伸ばして糸にした乾燥剤入り糸。
【請求項８】
本追加発明の2012年12月27日pm21時43分テトロン糸溶液に、活性炭粒子物質を、テトロン溶液中に活性炭粒子物質を、入れて撹拌して細く伸ばした活性炭入りテトロン糸は、臭いを、吸収する糸に成り、肌着糸の臭い取り合成糸。
【請求項９】
本追加発明の2012年12月27日pm21時57分テトロン糸溶剤に反射板粉を、テトロン溶液中に反射板粉を、入れて撹拌して細く伸ばしたテトロン糸は、光りを、反射する糸。
【請求項１０】
本追加発明の2012年12月30日am9時20分世界で一番軽い雑草灰入り糸にデザイン超細ペーパー絵をテトロン糸に入れたテトロンデザイン画入り糸。
【請求項１１】
本追加発明の2012年12月30日am9時23分世界で一番軽い雑草灰入り糸にデザイン超細ペーパー絵をナイロン糸に入れたナイロンデザイン画入り糸。
【請求項１２】
本追加発明の2012年12月30日pm13時57分世界で一番軽い雑草灰入り糸に銅アルミニウム合金箔を、0,2ミリメートル角の超微粒子を、テトロン糸ナイロン糸に内蔵した合金箔を、超軽量糸に入れた合金箔入り糸。
【発明の詳細な説明】
【技術分野】
【０００１】
本先発明は、一般社会に流通する冷却糸と果物粉末色を使用した固形窒素冷却糸と笹の茎及び稲の茎を細かく刻んだ形状を混合内蔵した冷却糸と追加発明の世界最軽量糸に関する先技術発明の著作権年月日著作権事実技術に基づいた説明。
【背景技術】
【０００２】
従来の一般社会に流通していた古くから知られる亜麻糸などは、植物繊維として知られて入るが、オリンピック等の水泳競技では、おそらく海外特許技術の炭素繊維技術は、日本繊維企業でも、勝手に作れ無いのが、特許料金の賠償請求出来る特許権技術と特許権切れは、世界で公認されているのは、医療の薬のみが、特許権切れの薬だけが、国際上の取り決めによって、特許切れの薬だけは、不正技術の不正競争防止法違反に成らない世界が認めた特許権切れの著作権技術の同一薬商品を、作れる取り決めに成り、但し、薬企業は、特許権切れの薬に別の薬を、取り付けて別の特許権にするのが、通常の世界中の常識に成る。
しかし、日本の特許庁は、薬以外の商品が、特許権切れに成れば、作れるなどと言う国際上取り決めに反した非常識の話を、する者がいるが、現在、日本企業の電気製品の同一技術使用が多いのも目立。
従って、特許庁の言い分成らば、現在の日本国の借金が、1000兆円近い事実に対して、法人税が、現在。40パーセントを、80パーセントにしても、日本国の借金返済は、恐らく、100年経っても返済し切れない事実が待っている用で有る。
然し、企業税金を、更に上げても、日本国の借金返済が、無理な事実を、テレビ局及び新聞社及び大学及び有識者すら、公の公開の場で政治家共々、話を、擦るものが居ないのも事実に成る。
従って、最終の解決手段が、商品の工場作成及び、販売及び、海外輸出までが、年間所得が、300万以下の一般庶民経営の国の借金返済のみの会社と工場設立を、国と、政治家全員及び大学全員及び、100パーセント無料の全資産寄付の海外と日本企業が、いない限り、国の全額借金返済の為の、国営または、都道府県市町村区の営業の工場と会社を、認めなければ成らない事実の様で有る。
誰も、100バーセント払わないで、弱者国民一人一人から、払いきれない借金を、払えきれないのが、解っていて税金を、上げなければ成らない矛盾という神も、仏も無い時代にむりくり進めようとしている原子力海外売電資本主義企業国家は、永遠に不滅のごとくいつに成ると、弱者が、平等の国民と言われる時代を、求めて知的所有財産の著作権文書図を、2012年12月23日pm21時17分追加書きのどうしたら日本の国の借金がゼロになるのか弱者国民一人一人が、考えた事実の知的所有財産の値を、考える事の日本の有識者が、存在して公開の場に出て来るのを、本当の貧乏に成る前に現れるのを、願うだけです。
【０００３】
最近のテレビ報道では、バナナの茎の合成糸と竹の茎を使用した合成糸が、テレビ報道されていて、一般販売して入る現状で有る。
【０００４】
以下、図1と図2により従来の合成糸との違いを説明する。
図1に於いて、(1)は、通常のテトロン糸とナイロン糸で有り、(2)は、今までに無い固形窒素をテトロン糸筒に内蔵した固形窒素糸または、液体窒素を、液体ナイロン温度まで上げて、液体窒素と液体ナイロンまたは液体テトロンを、混合合成させた、液体窒素合成ナイロン糸及び液体窒素合成テトロン糸で有り、(3)は、冷却窒素合成糸で有る。
更に稲の茎と葉または笹の茎と葉を小さく刻んだ物質を液体ナイロン混合合成または液体テトロン混合合成した(4,5,6,7,8,9,)の稲の茎葉の合成説明と笹の茎葉の合成説明で有る。
【０００５】
図2の果物粉末と液体ナイロンを混合合成した色付け技術によるわずかな最初の内の果物匂いの合成冷却糸説明をしたのが、図2の(10,11,12,)で有る。
【先行技術文献】
【特許文献】
【０００６】
【特許文献１】特開2012―236606号
【０００７】
【特許文献２】特開2012―236605号
【０００８】
【特許文献３】特開2012―210703号
【０００９】
【特許文献４】特開2012―187001号
【００１０】
【特許文献５】特開2012―170063号
【００１１】
【特許文献６】特開2012―166951号
【００１２】
【特許文献７】特開2012―140584号
【００１３】
【特許文献８】特開2012―120440号
【００１４】
【特許文献９】特開2012―116727号
【００１５】
【特許文献１０】特開2012―108140号
【００１６】
【特許文献１１】特開2012―101790号
【００１７】
【特許文献１２】特開2012―099506号
【００１８】
【特許文献１３】特開2012―097559号
【００１９】
【特許文献１４】特開2012―097558号
【００２０】
【特許文献１５】特開2012―094548号
【００２１】
【特許文献１６】特開2012―077607号
【００２２】
【特許文献１７】特開2012―056558号
【００２３】
【特許文献１８】特開2012―052788号
【００２４】
【特許文献１９】特開2012―011211号
【００２５】
【特許文献２０】特開2011―233228号
【００２６】
【特許文献２１】特開2011―215148号
【００２７】
【特許文献２２】特開2011―209290号
【００２８】
【特許文献２３】特開2011―205895号
【００２９】
【特許文献２４】特開2011―205675号
【００３０】
【特許文献２５】特開2011―202498号
【００３１】
【特許文献２６】特開2011―155267号
【００３２】
【特許文献２７】特開2011―105307号
【００３３】
【特許文献２８】特開2011―064060号
【００３４】
【特許文献２９】特開2011―060294号
【００３５】
【特許文献３０】特開2010―171943号
【００３６】
【特許文献３１】特開2010―165355号
【００３７】
【特許文献３２】特開2006―254697号
【００３８】
【特許文献３３】特開2004―304993号
【００３９】
【特許文献３４】特開2004―304992号
【００４０】
【特許文献３５】特開2004―135480号
【００４１】
【特許文献３６】特開2003―328925号
【００４２】
【特許文献３７】登録実用新案第3168043号
【００４３】
【特許文献３８】登録実用新案第3145963号
【００４４】
【特許文献３９】登録実用新案第3114491号
【発明の概要】
【発明が解決しようとする課題】
【００４５】
以上述べた従来の糸は、夏物と冬物を糸の大小で、区別していたが、夏場の暑い時期の対策衣類としては、薄着をする対策がほとんどで有った。
【００４６】
本発明は、此のような従来の糸の構造が構成していた問題を解決しようとするもので有り、糸の大小技術を越えた冷却材入りの糸を完成する事で、夏場だけに着る肌の着心地の冷たさを持続する事を実現する事を目的とするもので有る。
【課題を解決するための手段】
【００４７】
そして、本先発明は、上記目的を達成する為に、液体ナイロンと液体窒素を合成する技術もしくは液体テトロンと液体窒素を合成する技術で有り、此のほか、液体テトロンと液体ナイロンを筒状にする技術として、細い金属に液体テトロン及び液体ナイロンを被せて作り上げる筒状のナイロン糸及びテトロン糸に液体窒素または固形窒素を液体状にしたのを入れて行く技術などが考えられる冷却糸作成技術で有る。
【００４８】
また、第2の課題解決手段として、稲の茎と葉を利用した稲の茎と葉の小刻みな物質を液体ナイロン及び液体テトロンに混合合成する事で、今まで無い糸の光沢すなわち、ナイロン及びテトロンでは、出せない植物光沢を、液体ナイロンと液体テトロンなどと混合合成する事で、今までに無い植物光沢を合成ナイロン糸と合成テトロン糸として表現した冷却合成糸。
【００４９】
また、第3の課題解決手段として、笹の茎と葉を利用した笹の茎と葉の小刻みな物質を液体
ナイロン及び液体テトロンに混合合成する事で、今までに無い緑色の植物光沢をナイロン及びテトロンでは出せない植物光沢を液体ナイロンと液体テトロンなどと混合合成する事で、今までに無い緑色の植物光沢を、合成ナイロン糸と合成テトロン糸として表現した冷却合成糸。
【００５０】
また、第4の課題解決手段として、土色の光沢表現を木の皮のくずを、小刻みに刻んだ物質を液体ナイロンまたは液体テトロンに混合合成した木の皮の土色の光沢を楽しむ冷却混合合成糸。
【００５１】
また、第5の課題解決手段として、白色の光沢表現を、牛乳色の白色で表現した液体ナイロンと液体テトロンと牛乳を混合合成した白色のナイロン糸と白色のテトロン糸によって、牛乳感触と太陽光を防ぐ色の有り方を糸構造にした冷却牛乳混合色ナイロン糸及びテトロン糸で有る。
【００５２】
また、第6の課題解決手段として、赤色の光沢表現の紅葉の葉の使用または黄色の光沢表現を紅葉の葉の色を使用した木の葉を小刻みにした物質の混合合成した冷却糸。
【００５３】
また、第7の課題解決手段として、他の色を果物粉末色で表現した液体ナイロンまたは液体テトロンと混合合成した果物の匂いが少しする、他の色の果物粉末色を使用した合成冷却糸。
特許庁へ発明発生としての提出理由
2009年現在に至っても国の全額借金返済方法と都道府県市町村区の借金全額返済方法に対して消費税を上げる方法以外の国の提示が示されない為、日本弱者国民が、出来る国際的に通用する先発明発生文書図の特許庁の郵便物受理書説明に至る。
更に、現状では無料の特許提出審査請求が、国の全額借金返済と都道府県市町村区の借金返済活動事実を持ってでも、無料の先行調査も現在は、行っていない事の特許庁回答を受けての弱者国民の先発明発生文書図の事実公開と一日も早く国の全額借金と都道府県市町村区の借金全額返済活動に対しての個人活動を国                        で、範囲を限定とした先発明発生権の特許法書き込み保護を求める国の全額借金返済活動者と都道府県市町村区の全額借金返済活動者
【００５４】
追加の2012年12月28日pm18時29分第8の課題解決手段として、世界最軽量の糸と豪語する理由に現在の、世界で一番軽いとされている糸が、オリンピックの水泳競技等に使用されている糸が、炭素とテトロンの合成糸に成り、言わば海外技術に成り、現在市場に出回っていない理由として、海外の特許権期間と思われ、糸の値段も、高価な事が、理由と考えられる。
問題は、炭素でない炭素より軽い物質を、探す事から始まり、炭素自体は、燃焼性物質に成り、例えば、木材炭素と雑草炭素と竹炭素は、同じ重さでないが、このままでは、特許権介入と著作権介入に成る為、木材炭素と雑草炭素と竹炭素を、燃やした後に出る灰物質は、海外の糸メーカーも、使って無かった素材に成り、海外特許権切れ次第テトロン素材に、一番軽いとされる雑草灰を、テトロン糸に内蔵擦る事によって、世界で一番軽い糸が出来るが海外の炭素繊維の特許権が、切れ次第特許権を、使って製造販売する経緯が、海外の炭素繊維特許権者に対する礼になる。
従って、木材灰及び竹灰及び生ゴミ灰等の、炭素を、燃やした後に灰が残る物質を、使った合成糸は、軽いのが特徴の第1に成る。
従って、ナイロン糸及びテトロン糸に灰を、混合合成した糸は、軽い糸に成り、半分軽量糸と綿糸及び羊毛糸の合成糸に成る。
【００５５】
追加の2012年12月28日pm19時29分第9の課題解決手段として、炭素より軽い灰物質特に、雑草灰入りナイロン及び、テトロン糸の冷却糸は、テトロンシート及びナイロンシートに窒素粘着溶液を、散布して再び、テトロンシート及びナイロンシートを、貼ったシートを、糸状に切断する窒素冷却糸の作り方とテトロン溶液
とナイロン溶液に、雑草灰と窒素溶液を、混合撹拌した糸を、細く伸ばす技術は、糸屋の不正技術の手法に成り、冷却糸の他、乾燥剤入り超軽量糸も、乾燥剤溶液に木材灰入りの合成糸は、冷却糸と異なり、乾燥させる事を、目的とした糸に入れる物質に成り、試験を、要する糸素材に成る。
【００５６】
追加の2012年12月30日pm12時16分第10の課題解決手段として、稲の乾燥茎及び麦の乾燥茎を、0,2ミリメートル角の超微粒子を、テトロン糸及びナイロン糸溶液に入れて撹拌して、細く伸ばしたテトロン及びナイロン糸に成る。
【００５７】
追加の2012年12月30日pm12時30分第11の課題解決手段として、竹の茎の光沢乾燥表皮を、0,2ミリメートル角の超微粒子を、テトロン糸及びナイロン糸溶液に入れて撹拌して、細く伸ばしたテトロン及びナイロン糸に成る。
【００５８】
追加の2012年12月30日pm12時34分第12の課題解決手段として、超軽量の、雑草灰入りテトロン糸及びナイロン糸の超軽量テトロン糸及びナイロン糸に対して、臭いを、吸収する木材表皮活性炭の超微粒子を、超軽量テトロン糸及びナイロン糸に内蔵した臭いを、吸収する超軽量糸に成り、この他、羊毛半分ナイロン半分の合成糸に対しても、活性炭入りの合成糸によって、臭い吸収が出来る活性炭入りの合成繊維。
【００５９】
追加の2012年12月30日pm12時45分第13の課題解決手段として、超軽量の雑草灰入りテトロン糸及びナイロン糸の超軽量テトロン糸及びナイロン糸に対して、肌着等の乾燥を、促進する為に、テトロン糸溶液及びナイロン糸溶液に対して乾燥剤溶液を、予めテトロン糸溶液及びナイロン糸溶液に入れて撹拌合成した乾燥剤入りのテトロン糸及びナイロン糸に成る。
【００６０】
追加の2012年12月30日pm12時55分第14の課題解決手段として、超軽量の雑草灰入りテトロン糸及びナイロン糸の超軽量テトロン糸及びナイロン糸に対して、
反射板0,2ミリメートル角の超微粒子を、超軽量の雑草灰入りテトロン糸及びナイロン糸の超軽量テトロン糸及びナイロン糸に混合撹拌して糸状にした反射板入りの超軽量の雑草灰入りテトロン糸及びナイロン糸。
【００６１】
追加の2012年12月30日pm13時08分第15の課題解決手段として、超軽量の雑草灰入りテトロン糸及びナイロン糸の超軽量テトロン糸及びナイロン糸に対して、
銅アルミニウム合金箔を、0,2ミリメートル角の超微粒子を、超軽量テトロン糸及びナイロン糸に混合撹拌して糸状にした合金箔入りの超軽量の雑草灰入りテトロン糸及びナイロン糸。
【００６２】
追加の2012年12月30日pm13時41分第16の課題解決手段として、超軽量の雑草灰入りテトロン糸及びナイロン糸の超軽量テトロン糸及びナイロン糸に対して、
デザイン超細テトロンペーパー絵入りのテトロン糸及びナイロン糸。
【発明の効果】
【００６３】
上述したように、本先発明の冷却糸の液体ナイロン及び液体テトロンの合成混合技術によって、冷却糸の道が開かれ、夏場だけに使用試着する事を目的とした固形窒素を液状窒素化した物質と液体ナイロン等を、混合合成する技術によって、夏場だけの涼しい糸を提供出来る。
【００６４】
また、冷却糸の光沢技術として、他の植物繊維光沢を、沢山取り込んだ、植物物質を、小刻みに刻んだ物質を、液体ナイロンまたは液体テトロンと混合合成する事で、植物光沢を生かしたナイロン糸とテトロン糸の植物繊維の混合合成技術によって、今までに無い色の糸の光沢表現で、冬場は、冷却材の入れない植物繊維合成ナイロン糸とテトロン糸と綿の糸を合わせた、生地作りで、冬場の綿糸と交互に植物繊維内蔵糸を編んだ生地によって、今までに無い光沢技術公開によって、新しいデザイン効果を発揮するもので有る。
【発明を実施するための形態】
【００６５】
以下、本先発明の実施の形態を図1~図5に基づいて説明する。
【００６６】
図1において、(1)は、通常のテトロン糸及びナイロン糸で有り、(2)は、固形窒素内蔵糸で有り、固形窒素を、テトロン筒状糸に内蔵した冷却糸技術で有り、(3)は冷却窒素合成糸で有り、液状の固形窒素と液状のナイロンを混合合成した物質を糸にした冷却糸技術。
【００６７】
図1の(4)は、稲の茎葉の合成糸で有り、稲の茎の植物光沢を生かした稲の茎葉の合成糸で有り、(5)は、筒状のナイロン糸で有り、稲の茎の合成の筒状糸に固形窒素または液体状の固形窒素を内蔵した冷却糸で有り、(6)は、稲の茎及び葉の形状を表現した液体状の稲の茎葉の合成液と液体状の固形窒素を混合合成した冷却植物合成糸で有る。
【００６８】
図2の(7)は、笹の茎と葉の混合合成糸で有り、(8)は、笹の茎葉の混合合成したナイロン物質を筒状の糸にして、中に固形窒素を入れた糸技術で有り、(9)は、笹の茎葉の切り刻んだ物質と液体ナイロン物質と液体状の固形窒素を混合合成した笹の茎葉合成冷却糸で有る。
【００６９】
図2の(10)は、果物粉末のオレンジ色合成のナイロン及びテトロン糸で有り、(11)は、植物果物の粉末と液体ナイロンを混合合成した筒状糸に固形窒素及び液体状の固形窒素を入れた冷却糸技術で有り、(12)は、果物粉末と液体ナイロンと液体状の固形窒素を混合合成した冷却糸で有り、最初の内だけ匂いを楽しむ事が出来る果物合成色の冷却糸で有る。
【００７０】
図3の(13)の木材灰入りテトロン糸は、木材炭を、更に最後の灰に成るまで、燃やして残った灰を、糸材のテトロン溶液及びナイロン溶液に入れて良く撹拌して細く糸状に伸ばした世界で一番軽い木材灰入りテトロン糸及び(14)のナイロン糸。
【００７１】
図3の(15)の竹灰入りテトロン糸は、竹炭を、更に最後の灰に成るまで、燃やして残った灰を、糸材のテトロン溶液及びナイロン溶液に入れて良く撹拌して細く糸状に伸ばした世界で一番軽い竹灰入りテトロン糸及び(16)の竹材入りナイロン糸。2012年12月30日追加書き。
【００７２】
図3の(17)の雑草灰入りテトロン糸は、灰の種類の中でも、一番軽いと思われる雑草灰物質を、テトロン糸物質溶液の中に入れて混合撹拌した雑草灰入りテトロン糸物質を、細く伸ばしたのが、超軽量のテトロン糸に成り、既にこの時点で、糸の名前変更に成る。
【００７３】
図3の(18)の雑草灰入りナイロン糸は、灰の種類の中でも、一番軽いと思われる雑草灰物質を、ナイロン糸物質溶液の中に入れて混合撹拌した雑草灰入りナイロン糸物質を、細く伸ばしたのが、超軽量のナイロン糸に成り、既にこの時点で、糸の名前変更に成る
【００７４】
図4の(19)の生ゴミ灰入りテトロン糸は、生ゴミ灰の処理手段の一つと灰物質の入手困難な場合に使われる灰物質に成り、テトロン糸物質溶液の中に入れて混合撹拌した雑草灰入りテトロン糸物質を、細く伸ばしたのが、超軽量のテトロン糸に成り、既にこの時点で、糸の名前変更に成る。
【００７５】
図4の(20)の生ゴミ灰入りナイロン糸は、生ゴミ灰の処理手段の一つと灰物質の入手困難な場合に使われる灰物質に成り、ナイロン糸物質溶液の中に入れて混合撹拌した雑草灰入りナイロン糸物質を、細く伸ばしたのが、超軽量のナイロン糸に成り、既にこの時点で、糸の名前変更に成る。
【００７６】
図4の(21)の活性炭入りテトロン糸は、通常は、ヤシの実の殻の表皮を、蒸して乾燥させて粒状にした物質が通常活性炭に成り、木材の表皮を、蒸して瞬間乾燥させて、粉状にした物質を、洗って再び、無酸素状態で、高温にて、半分炭素化させた粒子を、半活性炭に成り、半活性炭を、テトロン糸物質溶液の中に入れて混合撹拌した半活性炭入りテトロン糸物質を、細く伸ばしたのが、超軽量のテトロン糸に成り、既にこの時点で、糸の名前変更に成る。
【００７７】
図4の(22)の活性炭入りナイロン糸は、通常は、ヤシの実の殻の表皮を、蒸して乾燥させて粒状にした物質が通常活性炭に成り、木材の表皮を、蒸して瞬間乾燥させて、粉状にした物質を、洗って再び、無酸素状態で、高温にて、半分炭素化させた粒子を、半活性炭に成り、半活性炭を、ナイロン糸物質溶液の中に入れて混合撹拌した半活性炭入りナイロン糸物質を、細く伸ばしたのが、超軽量のナイロン糸に成り、既にこの時点で、糸の名前変更に成る。
【００７８】
図4の(23)の乾燥剤入りテトロン糸は、通常使用されている粒状の乾燥剤粒子を、溶液状態にした物質を、テトロン糸物質溶液の中に入れて混合撹拌した乾燥材入りテトロン糸物質を、細く伸ばしたのが、乾燥剤入りの超軽量のテトロン糸に成り、既にこの時点で、糸の名前変更に成る。
【００７９】
図4の(24)の乾燥剤入りナイロン糸は、通常使用されている粒状の乾燥剤粒子を、溶液状態にした物質を、ナイロン糸物質溶液の中に入れて混合撹拌した乾燥材入りナイロン糸物質を、細く伸ばしたのが、乾燥剤入りの超軽量のナイロン糸に成り、既にこの時点で、糸の名前変更に成る。
【００８０】
図5の(25)の両面反射板入りテトロン糸の反射板を、正方形粒の0,2ミリメートルにした粒子を、テトロン糸物質溶液の中に入れて混合撹拌した反射板粒子入りテトロン糸物質を、細く伸ばしたのが、反射板粒子入りの超軽量のテトロン糸に成り、既にこの時点で、糸の名前変更に成る。
【００８１】
図5の(26)の両面反射板入りナイロン糸の反射板を、正方形粒の0,2ミリメートルにした粒子を、ナイロン糸物質溶液の中に入れて混合撹拌した反射板粒子入りナイロン糸物質を、細く伸ばしたのが、反射板粒子入りの超軽量のナイロン糸に成り、既にこの時点で、糸の名前変更に成る。
【００８２】
図5の(27)のアルミニウム銅合金金粉入りテトロン糸のアルミニウム銅合金金粉は、アルミニウム銅の合金粒を、機械で叩いて引き延ばした合金ペーパーを、粉状に切断した粒子を、テトロン糸物質溶液の中に入れて混合撹拌した合金粒子入りテトロン糸物質を、細く伸ばしたのが、合金粒子入りの超軽量のテトロン糸に成り、既にこの時点で、糸の名前変更に成る。
【００８３】
図5の(28)のアルミニウム銅合金金粉入りナイロン糸のアルミニウム銅合金金粉は、アルミニウム銅の合金粒を、機械で叩いて引き延ばした合金ペーパーを、粉状に切断した粒子を、テトロン糸物質溶液の中に入れて混合撹拌した合金粒子入りテトロン糸物質を、細く伸ばしたのが、合金粒子入りの超軽量のテトロン糸に成り、既にこの時点で、糸の名前変更に成る。
【００８４】
図5の(29)のデザイン超細テトロンペーパー絵入りテトロン糸は、予め細溝にテトロンデザイン絵入りペーパーを、敷いた場所にテトロン糸溶液を、流し込んで機械圧縮して糸幅を、全自動調整して糸状にしたデザイン超細テトロンペーパー絵入りテトロン糸。
【００８５】
図5の(30)のデザイン超細テトロンペーパー絵入りナイロン糸は、予め細溝にナイロンデザイン絵入りペーパーを、敷いた場所にナイロン糸溶液を、流し込んで機械圧縮して糸幅を、全自動調整して糸状にしたデザイン超細ナイロンペーパー絵入りナイロン糸。
【図面の簡単な説明】
【００８６】
【図１】冷却窒素合成糸の説明図と稲の茎形状の冷却ナイロン及びテトロン糸の説明図。
【図２】笹の形状冷却糸と果物粉末合成冷却糸の説明図。
【図３】木材灰入りテトロン糸及び木材灰入りナイロン糸と竹灰入りテトロン糸と竹灰入りナイロン糸に成り、雑草灰入りテトロン糸と雑草灰入りのナイロン糸の溶液時点で、木材灰及びテトロン糸及び木材灰入りナイロン糸溶液に、入れて撹拌合成した炭素糸より、軽い糸説明図。
【図４】生ゴミ灰入りテトロン糸及び、生ゴミ灰入りナイロン糸の軽量糸及び、活性炭入りテトロン糸及び、活性炭入りナイロン糸の臭いを、吸収する糸に成り、乾燥剤入りテトロン糸と乾燥剤入りナイロン糸の組み合わせ合成糸の説明図。
【図５】反射板粉入りテトロン糸及び反射板粉入りナイロン糸の夜のライト反射糸に拠る軽量の反射板チヨッキ等の軽量の安全服素材製品の為の糸技術とデザイン超細ペーパー絵入りテトロン糸及び、デザイン超細ペーパー絵入りナイロン糸等の糸柄を、かなでる新デザイン糸説明図。
【図６】テレビ画像システムに中って、海外技術のパイオニアの超薄の液晶フィルムの画像鮮度を、高める為の、軽水素トリチウム電子ガスと、窒素ガスとアルゴンガスと固形窒素の合成材を、液体プラスチックパネルに混合合成したパネルまたは、液晶フィルムに散布する技術と液晶シートの凹凸部分に流し込んで、液晶半分と有機EL半分の画像パネル技術とダイオード映像回路のダイオードの中にアルゴンガスと固形窒素と軽水素トリチウム電子ガスと液体マグネシウムと超微量のニッケル微粒子材の合成チップのダイオード映像回路システムに成る。
【図７】反射光吸収発電パネル付の高出力発光LEDライト玉の取り付け著作権説明図。
【図８】パソコンの手書き図面コピーデーターの全自動トリミング方法の著作権説明文書図。
【図９】国と都道府県市町村区の全額借金返済の為の、国営糸事業と都道府県市町村区の糸事業を、擦る為の新技術の糸合成著作権説明文書図。
【図１０】ハンドクリームの複数容器説明の著作権原本説明文書図。
【図１１】家庭内ビル配線のネズミの配線かじりを、対策した著作権文書説明図。
【符号の説明】
【００８７】
1   通常のナイロン糸    (他にテトロン糸などが、合成糸に相応した糸と思われる)
2   固形窒素及び液体窒素内蔵糸  (合成糸として、ナイロン糸とテトロン糸が望ましい)
3   冷却窒素合成糸   (固形窒素を液体状にした物質と液体ナイロンまたは液体テトロンを混合合成した冷却糸技術)
4   稲の茎葉の合成糸 (稲の茎または葉を小刻みに刻んだ物質と液体ナイロンを混合合成した植物光沢をメインとした植物合成繊維。
5   筒状のナイロン糸  (固形窒素または液状窒素を筒状ナイロン糸等に入れた技術の冷却固形窒素糸技術)
6   稲の茎光沢冷却糸
7   笹の茎葉の混合合成糸
8   笹の茎光沢合成糸
9   笹の茎の形状を糸に表した冷却合成糸
10  果物のオレンジ粉末と混合合成した糸
11  果物の粉末と液体ナイロンと混合合成し更に液体状の固形窒素と混合合成した糸
12  果物の色と匂いを楽しめる冷却糸
13  木材灰入りテトロン糸
14  木材灰入りナイロン糸
15  竹灰入りテトロン糸
16  竹灰入りナイロン糸
17  雑草灰入りテトロン糸
18  雑草灰入りナイロン糸
19  生ゴミ灰入りテトロン糸
20  生ゴミ灰入りナイロン糸
21  半活性炭入りテトロン糸
22  半活性炭入りナイロン糸
23  乾燥材入りテトロン糸
24  乾燥剤入りナイロン糸
25  反射板粉入りテトロン糸
26  反射板粉入りナイロン糸
27  アルミニウム銅合金粉入りテトロン糸
28  アルミニウム銅合金粉入りナイロン糸
29  デザイン超細ペーパー絵入りテトロン糸
30  デザイン超細ペーパー絵入りナイロン糸
2009年1月25日(日)PM21時58分35秒漸く書き終え、これから大泉学園町の郵便局から出すか考える練馬の和夫墫野ニヤンカンキチで有る。
作成日              2009年1月25日
作成場所             東京都練馬区大泉学園町5丁目35ー9東財建設で書き始める。
【図１】
2013127145.tif 000003
【図２】
2013127145.tif 000004
【図３】
2013127145.tif 000005
【図４】
2013127145.tif 000006
【図５】
2013127145.tif 000007
【図６】
2013127145.tif 000008
【図７】
2013127145.tif 000009
【図８】
2013127145.tif 000010
【図９】
2013127145.tif 000011
【図１０】
2013127145.tif 000012
【図１１】
2013127145.tif 000013